(57)【要約】【課題】物品の下の設置面の掃除が行い易い載置台とする。【解決手段】載置部２０の上面２０ａと後側キャスタ６を載置部２０に向けて移動させるキャスタ移動部３０の上面３０ａは略同一平面となっており、載置部２０に後側キャスタ６を載置していない状態では、載置部２０の底面２０ｂのキャスタ移動部３０との境界部２０ｃとキャスタ移動先端部３１の底面３１ｂが設置面３に接地し、載置先端部２０ｄが設置面３に非接地となって上面２０ａ，３０ａが設置面３に対して傾斜する第１状態となり、後側キャスタ６が載置部２０に載ったときには、冷蔵庫１の自重で境界部２０ｃを支点として回動し、境界部２０ｃと載置先端部２０ｄが設置面３に接地し、キャスタ移動先端部３１の底面３１ｂが設置面３に非接地となって上面２０ａ，３０ａが設置面３に対して略平行でキャスタ移動部３０の底面３０ｂと設置面３の間に間隙Ｋが生じる第２状態となる載置台１０とした。【選択図】図１
2017201184.tif 000002
【特許請求の範囲】
【請求項１】
キャスタにより移動可能にされたキャスタ付物品の前記キャスタを載置する載置台であって、
前記キャスタを載置する縦断面略台形状の載置部と、前記載置部に隣接して前記キャスタを前記載置部に向けて移動させるキャスタ移動部とを有しており、
前記載置部の上面と前記キャスタ移動部の上面は、略同一平面となっており、
前記載置部に前記キャスタを載置していない状態では、前記載置部の底面における前記キャスタ移動部との境界部と前記キャスタ移動部における前記載置部から最も離れたキャスタ移動先端部の底面が設置面に接地し、前記載置部の前記底面における前記境界部と対向する載置先端部が前記設置面に非接地となって、前記載置部の前記上面と前記キャスタ移動部の前記上面が前記設置面に対して傾斜する第１状態となるように構成されており、
前記キャスタを前記キャスタ移動先端部から前記キャスタ移動部上を前記載置部に向けて移動させ、前記キャスタが前記載置部に載ったときには、前記物品の自重で前記境界部を支点として回動し、前記境界部と前記載置先端部が前記設置面に接地し、前記キャスタ移動先端部の前記底面が前記設置面に非接地となって、前記載置部の前記上面と前記キャスタ移動部の前記上面が前記設置面及び前記物品の底面に対して略平行で、前記キャスタ移動部の底面と前記設置面の間に間隙が生じる第２状態となるように構成されていることを特徴とする載置台。
【請求項２】
前記キャスタ移動部の前記底面が、前記境界部と前記キャスタ移動先端部を結ぶ平面より上方に位置するように、えぐれた状態に構成されていることを特徴とする請求項１に記載の載置台。
【請求項３】
前記キャスタ移動部は、前記キャスタ移動先端部が先細形状となるように構成されていることを特徴とする請求項１又は２に記載の載置台。
【請求項４】
前記キャスタ移動先端部の前記底面は、前記第１状態時に前記設置面と略平行となる面を有していることを特徴とする請求項１乃至３の何れか１項に記載の載置台。
【請求項５】
前記載置部の前記底面及び前記キャスタ移動部の前記キャスタ移動先端部の前記底面には、滑り止め部が設けられていることを特徴とする請求項１乃至４の何れか１項に記載の載置台。
【請求項６】
前記載置部の前記上面は、前記キャスタ移動部の前記上面より凹んだ面を有していることを特徴とする請求項１乃至５の何れか１項に記載の載置台。
【請求項７】
前記載置部及び前記キャスタ移動部の内部は、前記上面から前記底面に掛けて形成されたリブを有するように構成されていることを特徴とする請求項１乃至６の何れか１項に記載の載置台。
【発明の詳細な説明】
【技術分野】
【０００１】
この発明は、物品を載置する載置台であって、特にキャスタ付物品のキャスタを載置する載置台に関するものである。
【背景技術】
【０００２】
従来、冷蔵庫等の重量のある物品を載置する載置台が提案されている（例えば、特許文献１参照）。この載置台は、当該物品の移動用に底面等に取り付けられているキャスタを載せることで、物品が動かないように保持できるようになっている。また、当該キャスタを用いて物品を移動させて、キャスタを載置台にスムーズに載せることができるように、物品の設置面（床面）から傾斜して載置台の上面に続くスロープが設けられている。
【先行技術文献】
【特許文献】
【０００３】
【特許文献１】実用新案登録第３１５２６１０号公報
【発明の概要】
【発明が解決しようとする課題】
【０００４】
これに対し、冷蔵庫等の物品の下の設置面の掃除を行いたいという要望があった。しかしながら、前記したような従来の載置台では、その高さが低いため、設置面と物品の底面との間に掃除機のノズルや掃除用ワイパー等の掃除用具を挿入することができなかった。
【０００５】
ここで、載置台をもっと高くして設置面と物品の底面との間に掃除用具を挿入できる等の効果が生じるようにした場合、キャスタをスムーズに設置面から載置台の上面に移動させるために、スロープの傾斜が急にならないようにスロープを長くする必要があった。そのため、物品の下の設置面の掃除をしようとしても、結局、当該スロープが邪魔になって載置台周りが掃除できず、物品の下の設置面を十分に掃除することができない虞があった。
【０００６】
そこで、この発明は、キャスタを載置した後で物品の下の設置面の掃除が行い易い載置台を提供することを課題としている。
【課題を解決するための手段】
【０００７】
かかる課題を達成するために、請求項１に記載の発明は、キャスタにより移動可能にされたキャスタ付物品の前記キャスタを載置する載置台であって、前記キャスタを載置する縦断面略台形状の載置部と、前記載置部に隣接して前記キャスタを前記載置部に向けて移動させるキャスタ移動部とを有しており、前記載置部の上面と前記キャスタ移動部の上面は、略同一平面となっており、前記載置部に前記キャスタを載置していない状態では、前記載置部の底面における前記キャスタ移動部との境界部と前記キャスタ移動部における前記載置部から最も離れたキャスタ移動先端部の底面が設置面に接地し、前記載置部の前記底面における前記境界部と対向する載置先端部が前記設置面に非接地となって、前記載置部の前記上面と前記キャスタ移動部の前記上面が前記設置面に対して傾斜する第１状態となるように構成されており、前記キャスタを前記キャスタ移動先端部から前記キャスタ移動部上を前記載置部に向けて移動させ、前記キャスタが前記載置部に載ったときには、前記物品の自重で前記境界部を支点として回動し、前記境界部と前記載置先端部が前記設置面に接地し、前記キャスタ移動先端部の前記底面が前記設置面に非接地となって、前記載置部の前記上面と前記キャスタ移動部の前記上面が前記設置面及び前記物品の底面に対して略平行で、前記キャスタ移動部の底面と前記設置面の間に間隙が生じる第２状態となるように構成されている載置台としたことを特徴とする。
【０００８】
また、請求項２に記載の発明は、請求項１に記載の構成に加え、前記キャスタ移動部の前記底面が、前記境界部と前記キャスタ移動先端部を結ぶ平面より上方に位置するように、えぐれた状態に構成されている載置台としたことを特徴とする。
【０００９】
また請求項３に記載の発明は、請求項１又は２に記載の構成に加え、前記キャスタ移動部は、前記キャスタ移動先端部が先細形状となるように構成されている載置台としたことを特徴とする。
【００１０】
また、請求項４に記載の発明は、請求項１乃至３の何れか１項に記載の構成に加え、前記キャスタ移動先端部の前記底面は、前記第１状態時に前記設置面と略平行となる面を有している載置台としたことを特徴とする。
【００１１】
また、請求項５に記載の発明は、請求項１乃至４の何れか１項に記載の構成に加え、前記載置部の前記底面及び前記キャスタ移動部の前記キャスタ移動先端部の前記底面には、滑り止め部が設けられている載置台としたことを特徴とする。
【００１２】
また、請求項６に記載の発明は、請求項１乃至５の何れか１項に記載の構成に加え、前記載置部の前記上面は、前記キャスタ移動部の前記上面より凹んだ面を有している載置台としたことを特徴とする。
【００１３】
また、請求項７に記載の発明は、請求項１乃至６の何れか１項に記載の構成に加え、前記載置部及び前記キャスタ移動部の内部は、前記上面から前記底面に掛けて形成されたリブを有するように構成されている載置台としたことを特徴とする。
【発明の効果】
【００１４】
請求項１に記載の発明によれば、キャスタが、キャスタを移動させるキャスタ移動部側から載置部に載ることで、物品の重さが載置部側に作用すると、載置台が回動してキャスタ移動部が跳ね上がり、物品の設置面から離間するようになっているため、キャスタの載置後にキャスタ移動部が物品の設置面にない状態とすることができる。そのため、掃除ができるように載置台の高さが高くなって、その分だけキャスタを移動させるキャスタ移動部が長くなっても、物品の下の設置面を掃除する際に、邪魔になるキャスタ移動部がない状態にでき、掃除が行い易くなると共に、十分な掃除を行うことができるものである。
【００１５】
また、請求項２に記載の発明によれば、キャスタ移動部の底面がえぐれた状態となっているため、キャスタが載置部に載ってキャスタ移動部が回動して跳ね上がった状態時の物品の下の隙間を広く保つことができ、より掃除が行い易い状態とすることができる。
【００１６】
また、請求項３に記載の発明によれば、キャスタ移動先端部が先細形状となるように構成されているため、設置面を移動してきたキャスタをスムーズにキャスタ移動部に載せることができる。
【００１７】
また、請求項４に記載の発明によれば、キャスタ移動先端部の底面は、キャスタが移動する第１状態時に、設置面と略平行となる面を有しているため、広い面でキャスタ移動先端部と設置面とが接触し、物品の重量を当該広い面で受けて圧力を分散させることができ、当該第１状態を安定して保持することができる。
【００１８】
また、請求項５に記載の発明によれば、キャスタ移動部のキャスタ移動先端部の底面に滑り止め部が設けられているため、キャスタ移動時には主にこの滑り止め部で、キャスタの移動に伴ってキャスタ移動部も移動しようとすることを防止することができ、これにより、キャスタを確実に載置部まで移動させることができる。また、載置部の底面に滑り止め部が設けられているため、キャスタを載置後に振動が生じても一旦配置した載置台が移動してしまうことなく、確実にキャスタを載置して物品を保持することができる。
【００１９】
また、請求項６に記載の発明によれば、載置部の上面は、キャスタ移動部の上面より凹んだ面を有しているため、当該凹んだ面にキャスタが移動してきて載置された状態で、キャスタを確実に載置部内に安定して保持することができる。
【００２０】
また、請求項７に記載の発明によれば、載置部及びキャスタ移動部の内部が、上面から底面に掛けて形成されたリブを有しているため、リブ同士の間に空間を形成して軽くすることができ、かつ、当該リブで物品を載せても耐えられる剛性を備えた状態を保つことができる。
【図面の簡単な説明】
【００２１】
【図１】この発明の実施の形態に係る載置台を示す斜視図である。
【図２】同実施の形態に係る載置台の第２状態を示す側面図である。
【図３】同実施の形態に係る載置台の第２状態を示す正面図である。
【図４】同実施の形態に係る載置台の第２状態を示す底面図である。
【図５】同実施の形態に係る載置台の第２状態における図１のＡ−Ａ断面図である。
【図６】同実施の形態に係る載置台の第１状態において後側キャスタがキャスタ移動部に載る直前の状態を示す側面図である。
【図７】同実施の形態に係る載置台の第１状態において後側キャスタがキャスタ移動部を移動中の状態を示す側面図である。
【図８】同実施の形態に係る載置台において後側キャスタがキャスタ移動部から載置部に移って第１状態から第２状態に変化するときの状態を示す側面図である。
【図９】同実施の形態に係る載置台の第２状態において後側キャスタが載置部のキャスタ保持部に保持された状態を示す断面図である。
【図１０】同実施の形態に係る載置台に載せるキャスタを有する冷蔵庫の底面図である。
【発明を実施するための形態】
【００２２】
以下、この発明の実施の形態について、図１〜図１０を参照して詳細に説明する。
【００２３】
この実施の形態の載置台１０は、図１０に示す冷蔵庫１のようなキャスタ５，６により移動可能にされたキャスタ付物品をかさ上げして、図９に示すように、冷蔵庫１の底面２と冷蔵庫１の設置面３との間に隙間４を設けることで、冷蔵庫１の下に掃除機のノズル又は掃除用ワイパー等の掃除用具を挿入可能として、当該位置の掃除を可能とするものである。
【００２４】
まず、この実施の形態のキャスタ付き物品としての冷蔵庫１について説明する。この冷蔵庫１は、図１０に示すように、２つの前側キャスタ５と、２つの後側キャスタ６と、前側キャスタ５の前側に配置された２つの高さ調節脚７を有するものであり、持ち上げて運ぶのが困難なほどの重量物である。そのため、前後４つのキャスタ５，６で移動させ、所定の設置場所で高さ調節脚７を下方に突出させて前側キャスタ５を持ち上げて移動不可能にして設置するようになっている。
【００２５】
次に、この実施の形態の載置台１０について説明する。この載置台１０は、図１０に示すように、冷蔵庫１の底面２の後側に２つ取り付けられた後側キャスタ６を１つずつ載置するように構成されたものである。また、図１０に示すように、冷蔵庫１の前側に２つ取り付けられた前側キャスタ５を載置する別の載置台１００を有している。そして、後側の載置台１０と前側の載置台１００に、キャスタ５，６を載置することで、冷蔵庫１を所定の高さまでかさ上げして、冷蔵庫１の底面２と冷蔵庫１の設置面３との間に隙間４が形成されるようになっている。なお、前側キャスタ５を載置する載置台１００（図１０参照）については、後述する。
【００２６】
前記した載置台１０は、図１に示すように、載置部２０と、当該載置部２０に隣接して配置されたキャスタ移動部３０とを有しており、載置部２０とキャスタ移動部３０とが一体に形成されている。
【００２７】
このうち、載置部２０は、図１，図２，図５に示すように、後側キャスタ６を載置して保持する部位であり、プラスチック，シリコン，ゴム等の所定の剛性を有する部材で構成されており、縦断面略台形状（ここでは特に、略長方形状となっている）に形成されている。また、この載置部２０は平面視略長方形状に形成されており、その上面２０ａの周縁部を除く中央部分は後述するキャスタ移動部３０の上面３０ａに比べて凹んだ面を有するキャスタ保持部２１となっている。
【００２８】
また、載置部２０におけるキャスタ保持部２１の周囲（上面２０ａの周縁部）のキャスタ移動部３０との境界部分を除く三方はキャスタ保持部２１やキャスタ移動部３０の上面３０ａより高さを高くした壁部２２となっており、キャスタ保持部２１に保持された後側キャスタ６が容易に壁部２２を乗り越えて載置部２０から脱落することがないように構成されている。
【００２９】
また、図５に示すように、載置部２０とキャスタ移動部３０との境界部におけるキャスタ移動部３０の上面３０ａからキャスタ保持部２１に落ち込む部位は、所定角度傾斜した傾斜部２２ａとなっている。
【００３０】
また、載置部２０の底面２０ｂには、図３，図５に示すように、摩擦係数の高い所定の材質（例えば、軟質のシリコンゴム，エラストマ等）及び形状に構成された滑り止め部２５が設けられている。ここでは、図３に示すように、載置部２０の底面２０ｂ全体に滑り止め部２５が設けられている。さらに、この滑り止め部２５は、振動を吸収する振動防止効果を有する材質となっている。また、図４，図５に示すように、載置部２０の内部は、上面２０ａから底面２０ｂに掛けて格子状のリブ２３が形成されており、当該リブ２３を有することによって、リブ２３同士の間に空間部２４が形成されている。そして、この格子状のリブ２３により載置部２０の剛性を保持するように構成されている。
【００３１】
一方、キャスタ移動部３０は、図６に示すように、載置部２０に隣接して後側キャスタ６を載置部２０に向けて移動させるスロープとなる部位であり、図１，図２，図５に示すように、キャスタ移動部３０の上面３０ａと載置部２０の上面２０ａとが略同一平面となっている。ここでは、図１，図５に示すように、載置部２０のキャスタ保持部２１はキャスタ移動部３０の上面３０ａに比べて多少凹んだ面となっているため、キャスタ移動部３０の上面３０ａと載置部２０の上面２０ａは厳密な同一平面ではないが、このような後側キャスタ６が軽く乗り越えられる程度の段差を有する面は略同一平面と言うものとする。
【００３２】
また、キャスタ移動部３０における上面３０ａの載置部２０に向かう方向の両脇は当該上面３０ａより高さを高くした壁部３２となっており、キャスタ移動部３０を移動する後側キャスタ６が脇に逸れてキャスタ移動部３０から脱落することがないように構成されている。なお、ここでは、キャスタ移動部３０の壁部３２と載置部２０の壁部２２とは同じ高さに形成されており、連続した一体の壁部に構成されている。
【００３３】
また、キャスタ移動部３０は、図２，図５に示すように、その先端部であるキャスタ移動先端部３１が先細形状となるように構成されている。また、キャスタ移動部３０は、その底面３０ｂがえぐれた状態となっている。具体的には、当該底面３０ｂが載置部２０との境界部２０ｃとキャスタ移動先端部３１を結ぶ平面Ｍより上方に位置するように上方にえぐれた状態に構成されている。
【００３４】
また、キャスタ移動部３０の底面３０ｂの一部（ここではキャスタ移動先端部３１付近の底面３１ｂ全体）には、摩擦係数の高い所定の材質（例えば、軟質のシリコンゴム，エラストマ等）及び形状に構成された滑り止め部３５が設けられている。また、図３，図５に示すように、キャスタ移動部３０の内部は、上面３０ａから底面３０ｂに掛けて格子状のリブ３３が形成されており、当該リブ３３を有することによって、リブ３３同士の間に空間部３４が形成されている。そして、この格子状のリブ３３によりキャスタ移動部３０の剛性を保持するように構成されている。なお、キャスタ移動先端部３１の底面３１ｂに設けられた滑り止め部３５の下面は、後述する第１状態時に設置面３と略平行な面となるように構成されている。
【００３５】
また、この載置台１０は、図６，図７に示すように、載置部２０の上面２０ａとキャスタ移動部３０の上面３０ａが設置面３に対して傾斜した状態となる第１状態と、図２，図５，図９に示すように、載置部２０の上面２０ａとキャスタ移動部３０の上面３０ａが設置面３及び冷蔵庫１の底面１ｂに対して略平行で、キャスタ移動部３０の底面３０ｂと設置面３の間に間隙Ｋが生じる第２状態とに変化するようになっている。
【００３６】
次に、この実施の形態の載置台１０の作用について説明する。
【００３７】
まず、冷蔵庫１の設置場所における後側キャスタ６が位置する箇所（ここでは２箇所）にキャスタ移動部３０が前側、載置部２０が後側になるように載置台１０を配置する。このとき（後側キャスタ６を載置していない、外力を作用させない状態）には、載置台１０の重心位置がキャスタ移動部３０側にあるため、図６に示すように、載置台１０は載置部２０の底面２０ｂにおけるキャスタ移動部３０との境界部２０ｃとキャスタ移動先端部３１の底面３１ｂが設置面３に接地し、載置部２０の底面２０ｂにおける境界部２０ｃと対向する載置先端部２０ｄが設置面３に非接地の状態となっている。これにより、載置部２０の上面２０ａとキャスタ移動部３０の上面３０ａが設置面３に対して傾斜した第１状態となっている。
【００３８】
次に、キャスタ５，６を用いて冷蔵庫１を前側から設置場所に移動させ、図６から図７に示すように、冷蔵庫１の前側を持ち上げながら載置台１０に対して後側キャスタ６を、キャスタ移動先端部３１からキャスタ移動部３０に載せていく。
【００３９】
そして、図７に示すように、冷蔵庫１の前側を持ち上げながら、後側キャスタ６を、そのままキャスタ移動部３０上を移動させていき、載置部２０に到達してキャスタ保持部２１まで移動させる。すると、冷蔵庫１の重量が載置部２０に掛かることで、載置台１０の重心位置がキャスタ移動部３０側載置部２０側に移るため、図８に示すように、境界部２０ｃを支点として載置先端部２０ｄが接地する方向（図２〜図５の右回り方向、図８の白抜き矢印方向）に載置台１０全体が回動し、図９に示すように、境界部２０ｃと載置先端部２０ｄが設置面３に接地し、キャスタ移動先端部３１の底面３１ｂが設置面３に非接地の状態となる。これにより、図９に示すように、冷蔵庫１がかさ上げされて、冷蔵庫１の底面２と冷蔵庫１の設置面３との間に隙間４が形成されると共に、載置部２０の上面２０ａとキャスタ移動部３０の上面３０ａが設置面３及び冷蔵庫１の底面１ｂに対して略平行で、キャスタ移動部３０の底面３０ｂと設置面３の間に間隙Ｋが生じる第２状態となる。その結果、キャスタ移動先端部３１が跳ね上がって冷蔵庫１の底面１ｂに沿うような位置で保持され、キャスタ移動部３０の底面３０ｂと設置面３との間に所定の間隙Ｋが生じる。このとき、キャスタ移動部３０の底面３０ｂがえぐれた形状となっていることで、より広い間隙Ｋが生じることとなる。
【００４０】
その後、２つの前側キャスタ５をさらに持ち上げ、図１０に示すように、その下に略直方体形状の載置台１００を滑り込ませて前側キャスタ５及び冷蔵庫１の移動を規制する高さ調節脚７を載置台１００に載せ、高さ調節脚７を下方に延ばして前側キャスタ５が動かないようにすることで、冷蔵庫１を設置する。
【００４１】
一方、冷蔵庫１を再度移動させるときには、前側キャスタ５を持ち上げて載置台１００を取り外し、その後、冷蔵庫１の前側を持ち上げながら、後側キャスタ６を前方に移動させることで、後側キャスタ６を載置台１０の載置部２０からキャスタ移動部３０に移動させる。すると、載置部２０に冷蔵庫１の重量が掛からなくなり、逆にキャスタ移動部３０に冷蔵庫１の重量が掛かるため、境界部２０ｃを支点にキャスタ移動先端部３１が接地する方向（図２〜図５の左回り方向）に載置台１０全体が回動し、載置台１０が第２状態から載置部２０の上面２０ａとキャスタ移動部３０の上面３０ａが傾斜した第１状態となる。当該状態で後側キャスタ６をキャスタ移動先端部３１の方向に移動させ、そのまま設置面３にまで移動させることで、載置台１０から後側キャスタ６を取り外す。
【００４２】
以上のように、前記した実施の形態の載置台１０によれば、後側キャスタ６が、後側キャスタ６を移動させるキャスタ移動部３０側から載置部２０に載ることで、冷蔵庫１の重さが載置部２０側に作用すると、載置台１０が回動してキャスタ移動部が跳ね上がり、冷蔵庫１の設置面３から離間するようになっているため、後側キャスタ６の載置後にキャスタ移動部３０が冷蔵庫１の設置面３にない状態とすることができる。そのため、掃除ができるように載置台１０の高さが高くなって、その分だけ後側キャスタ６を移動させるキャスタ移動部３０が長くなっても、冷蔵庫１の下の設置面３を掃除する際に、邪魔になるキャスタ移動部３０がない状態にでき、掃除が行い易くなると共に、十分な掃除を行うことができるものである。
【００４３】
また、前記した実施の形態の載置台１０によれば、キャスタ移動部３０の底面３０ｂがえぐれた状態となっているため、後側キャスタ６が載置部２０に載ってキャスタ移動部２３０が回動して跳ね上がった状態時の冷蔵庫１の下の間隙Ｋを広く保つことができ、より掃除が行い易い状態とすることができる。
【００４４】
また、前記した実施の形態の載置台１０によれば、キャスタ移動先端部３１が先細形状となるように構成されているため、設置面３を移動してきた後側キャスタ６をスムーズにキャスタ移動部３０に載せることができる。
【００４５】
また、前記した実施の形態の載置台１０によれば、キャスタ移動先端部３１の底面３１ｂは、後側キャスタ６が移動する第１状態時に、設置面３と略平行となる滑り止め部３５の下面を有しているため、広い面でキャスタ移動先端部３１と設置面３とが接触し、冷蔵庫１の重量を当該広い面で受けて圧力を分散させることができ、当該第１状態を安定して保持することができる。
【００４６】
また、前記した実施の形態の載置台１０によれば、キャスタ移動部３０のキャスタ移動先端部３１の底面３１ｂに滑り止め部３５が設けられているため、後側キャスタ６の移動時には主にこの滑り止め部３５で、後側キャスタ６の移動に伴ってキャスタ移動部３０も移動しようとすることを防止することができ、これにより、後側キャスタ６を確実に載置部２０まで移動させることができる。また、載置部２０の底面２０ｂに滑り止め部２５が設けられているため、後側キャスタ６を載置後に振動が生じても一旦配置した載置台１０が移動してしまうことなく、確実に後側キャスタ６を載置して冷蔵庫１を保持することができる。
【００４７】
また、前記した実施の形態の載置台１０によれば、載置部２０の上面２０ａは、キャスタ移動部３０の上面３０ｂより凹んだ面であるキャスタ保持部２１を有しているため、当該キャスタ保持部２１に後側キャスタ６が移動してきて載置された状態で、後側キャスタ６を確実に載置部２０内に安定して保持することができる。
【００４８】
また、前記した実施の形態の載置台１０によれば、載置部２０及びキャスタ移動部３０の内部が、上面２０ａ，３０ａから底面２０ｂ，３０ｂに掛けて形成されたリブ２３，３３を有しているため、リブ２３，３３同士の間に空間部２４，３４を形成して軽くすることができ、かつ、当該リブ２３，３３で冷蔵庫１を載せても耐えられる剛性を備えた状態を保つことができる。
【００４９】
なお、以上説明した実施の形態は、本発明の理解を容易にするために記載されたものであって、本発明を限定するために記載されたものではない。
【００５０】
例えば、前記した実施の形態では、キャスタ移動部３０の上面３０ａと載置部２０のキャスタ保持部２１とが多少の段差を有する略同一平面になっており、載置部２０とキャスタ移動部３０の壁部２２，３２がこれらより突出して同じ高さに形成されていたが、これに限るものではない。例えば、キャスタ移動部の上面と載置部のキャスタ保持部とが完全に同一平面になっていても良いし、壁部２２，３２が異なる高さに形成されていても良い。また、場合によっては壁部２２，３２の何れか又は双方が形成されていない構成であっても良い。
【００５１】
また、載置部の大きさや形状、厚さ等については、物品の大きさや形状や設置状態等に応じて、適宜決定するようになっていれば良い。
【００５２】
また、前記した実施の形態では、冷蔵庫１を載置するための載置台１０（さらには冷蔵庫１の後側キャスタ６を載置するための載置台１０）として本発明を用いていたが、これに限るものではなく、他の物品を載置するための載置台として本発明の載置台を用いるようになっていても良い。特に、比較的重量のある物品や、物品の底面と床面との間の隙間が少ないものに、好適に用いられるものである。
【符号の説明】
【００５３】
１  冷蔵庫（キャスタ付物品）
２  底面
３  設置面
４  隙間
５  前側キャスタ（キャスタ）
６  後側キャスタ（キャスタ）
１０  載置台
２０  載置部
２０ａ  上面
２０ｂ  底面
２０ｃ  境界部
２０ｄ  載置先端部
２１  キャスタ保持部
２２  壁部
２２ａ  傾斜部
２３  リブ
２４  空間部
２５  滑り止め部
３０  キャスタ移動部
３０ａ  上面
３０ｂ  底面
３１  キャスタ移動先端部
３１ｂ  底面
３２  壁部
３３  リブ
３４  空間部
３５  滑り止め部
Ｋ  間隙
Ｍ  平面
【図１】
2017201184.tif 000003
【図２】
2017201184.tif 000004
【図３】
2017201184.tif 000005
【図４】
2017201184.tif 000006
【図５】
2017201184.tif 000007
【図６】
2017201184.tif 000008
【図７】
2017201184.tif 000009
【図８】
2017201184.tif 000010
【図９】
2017201184.tif 000011
【図１０】
2017201184.tif 000012